(57)【要約】【課題】  インクを正確に噴射できるように改善されたインクジェットプリンタを提供する。【解決手段】  インクジェットプリンタは、電気伝導性インクを含有し、インクが噴射されるノズルが備えられたインクジェットヘッド及びインクジェットヘッドの一方側に設けられ、電気伝導性インクが通過するように多数のスリットが形成され、電磁場を発生させるマスクを含む。これによって、電磁場により噴射されたインクの運動方向を制御して均一なインク噴射がなされる。【選択図】      図２
2007223321.tif 000002
【特許請求の範囲】
【請求項１】
電気伝導性インクを含有し、前記インクが噴射されるノズルが備えられたインクジェットヘッドと、
インクジェットヘッドの一方側に設けられ、前記電気伝導性インクが通過するように多数のスリットが形成され、電磁場を発生させるマスクと、
を含むことを特徴とするインクジェットプリンタ。
【請求項２】
前記マスクは、高弾性金属薄膜上に互いに異なる極性が隣接するように交互に設けられた多数の電気配線と、マグネットとが順次に積層され、前記各層間には絶縁層が介されて形成されることを特徴とする請求項１に記載のインクジェットプリンタ。
【請求項３】
電磁気力が前記マグネットによる磁場と前記電気配線を流れる電流とによって前記スリットの中心へ向かって生成されるように、磁場の方向と電流の方向とが定められることを特徴とする請求項２に記載のインクジェットプリンタ。
【発明の詳細な説明】
【技術分野】
【０００１】
本発明は、インクジェットプリンタに関し、特に液晶表示装置に噴射されるインクの噴射精度を向上させるためのインクジェットプリンタに関する。
【背景技術】
【０００２】
一般に、液晶表示装置は、印加電圧による液晶の透過度の変化を用いて各種装置で発生する種々なる電気的な情報を視覚情報に変化させて伝達する電子素子であって、携帯用端末機の情報表示窓、ノートブックコンピュータの画面表示器などの情報表示窓として使われている。
【０００３】
このような液晶表示素子は、上部基板、この上部基板に離隔対向する下部基板及び上部基板と下部基板との間に介されてシャッターの役割をする液晶層を含む。
【０００４】
上部基板には画面の色を具現するためにＲ、Ｇ、Ｂインクによりなされたカラーフィルタ層が設けられるが、このカラーフィルタ層を形成するインクはインクジェットプリンタにより上部基板上に噴射される。
【０００５】
ところが、このようなインクジェットプリンタによるインク噴射の際、図１に示すように、希望しない画素へインク１３が噴射されて色滲みや、インクの色混合による不良の色が形成されるという問題がある。
【０００６】
このような問題を解決するために、インク自体の表面エネルギーを高くし、希望する画素上に湿潤層を形成して、マスクにより希望する画素へのインクを噴射したり、画素の表面をフッ素プラズマで処理して性質を変える等による方法が提示されたが、これもまたインクの不正確な噴射問題は解決できないという問題がある。
【０００７】
なお図１において、未説明の参照符号１０はインクジェットプリンタ、１１はインクジェットヘッド、１２はノズル、２０は上部基板、２１はブラックマトリックスである。
【発明の開示】
【発明が解決しようとする課題】
【０００８】
本発明は、上記の問題を解決するために案出したものであって、インクを正確に噴射できるように改善されたインクジェットプリンタを提供することをその目的とする。
【課題を解決するための手段】
【０００９】
上記の目的を達成するための本発明のインクジェットプリンタは、電気伝導性インクを含有し、インクが噴射されるノズルが備えられたインクジェットヘッド及び前記インクジェットヘッドの一方側に設けられ、前記電気伝導性インクが通過するように多数のスリットが形成され、電磁場を発生させるマスクを含むことが好ましい。
【００１０】
ここで、 前記マスクは、高弾性金属薄膜上に互いに異なる極性が隣接するように交互に設けられた多数の電気配線と、マグネットとが順次に積層され、前記各層間には絶縁層が介されて形成されることが好ましい。
【００１１】
また、電磁気力が前記マグネットによる磁場と前記電気配線を流れる電流とによって前記スリットの中心へ向かって生成されるように、磁場の方向と電流の方向とが定められることが好ましい。
【発明の効果】
【００１２】
前述のように、本発明のインクジェットプリンタによれば、インクジェットヘッドから噴射されるインクの落下経路に電磁場を形成するマスクを設けることにより、インクの噴射精度を向上させる効果が得られる。
【発明を実施するための最良の形態】
【００１３】
以下、添付の図面を参照しつつ本発明の好ましい実施形態を詳細に説明する。
図２は、本発明の一実施形態に係るインクジェットプリンタを概略的に示す図である。
【００１４】
図面を参照すれば、インクジェットプリンタ１００は、インクジェットヘッド１１０及びこのインクジェットヘッド１１０の一方側に設置されたマスク１２０を含む。
【００１５】
インクジェットヘッド１１０には電気伝導性インク１３０が含まれ、この電気伝導性インク１３０はインクジェットヘッド１１０の一方側に設けられたノズル１１１を通じて噴射される。
【００１６】
マスク１２０にはノズル１１１を通じて噴射された電気伝導性インク１３０が通過するように、図３のように多数のスリット１２５が形成される。
【００１７】
このマスク１２０は電磁場を形成するために、図４のように高弾性金属薄膜１２１上に多数の電気配線１２２と、マグネット１２３とが積層され、各層間には絶縁のために絶縁層１２４が介される。
【００１８】
ここで、金属薄膜１２１が高弾性を有する理由は、マスク１２０の製作工程のうち、撓み等の変形に対して容易に原状復帰するようにするためのものであり、またパターン形成を容易にするためである。
【００１９】
多数の電気配線１２２間には互いに隣接した電気配線１２２と互いに極性が異なるように設けられる。
【００２０】
即ち、電気配線１２２の各端部に形成された極性が隣接した電気配線１２２の各端部に形成された極性と反対の極性を有するように設けられる。
【００２１】
そして、マグネット１２３は下部にＳ極が形成され、上部にＮ極が形成されて、磁力線の方向が上部から下部に向かう。
【００２２】
このように、電気配線１２２とマグネット１２３とによりマスク１２０を作る理由は、フレミングの電磁気力法則により磁場（Ｂ）の方向と電流（Ｉ）の方向が１平面上で垂直な場合、この磁場（Ｂ）と電流（Ｉ）とにより平面に対して垂直な方向に電磁気力（Ｆ）が発生するので、これを用いてノズル１１１から噴射された電気伝導性インク１３０が電磁気力（Ｆ）の影響を受けて均一な方向に経路を有しながらマスク１２０のスリットを通じて通過するようにするためである。
【００２３】
即ち、ノズル１１１から噴射された電気伝導性インク１３０の運動方向を制御するためである。
【００２４】
これに対し、図５を参照して説明すれば、マスク１２０のスリット１２５の一方側に設けられた電気配線１２２ａの場合、一方側端部に（−）電極が形成され、他方側端部に（＋）電極が形成されるようにすれば、電流の方向は図面上で裏側から前側に形成され、磁場の方向はＮ極が上部に設けられるので、上部から下部に向かう方向に形成されて、マスク１２０のスリット１２５の一方側ではスリット１２５の他方側に向かう電磁気力（Ｆ）が形成される。
【００２５】
そして、マスク１２０のスリット１２５の他方側に設けられた電気配線１２２ｂの場合、一方側端部に（＋）電極が形成され、他方側端部に（−）電極が形成されるようにすれば、電流の方向は図面上で前側から裏側に形成され、磁場の方向はＮ極が上部に設けられるので、上部から下部に向かう方向に形成されて、マスク１２０のスリット１２５の他方側ではスリット１２５の一方側に向かう電磁気力（Ｆ）が形成される。
【００２６】
一方、磁場の方向を前記と反対に、即ちＮ極が下部に、Ｓ極が上部になるように設けて、電極方向も前記と反対に、即ちマスク１２０のスリット１２５の一方側に設けられた電気配線１２２ａの場合、一方側端部に（＋）電極が形成され、他方側端部に（−）電極が形成されるようにし、これと対向する電気配線の場合、一方側端部に（−）極を、他方側端部に（＋）極を設ける場合にも互いに対向する方向に電磁気力（Ｆ）が作用することになる。
【００２７】
したがって、スリット１２５の両側で各々形成される電磁気力（Ｆ）の方向は両方ともスリット１２５の内部に向かうので、ノズル１１１から噴射された電気伝導性インク１３０はスリット１２５中心部に収束して落下することになる。
【００２８】
このような構造のインクジェットプリンタによれば、電磁場を形成するマスクによりインクジェットヘッドから噴射される電気伝導性インクの運動方向を制御できるので、インク噴射の精度を向上させることができることになる。
【００２９】
図２〜図５において、未説明の参照符号２１０は上部基板、２２０はブラックマトリックスを意味する。
【００３０】
本発明は、前記に説明され図面に例示されたことにより限るのではなく、請求の範囲内でより多くの変形及び変用例が可能であることは勿論である。
【図面の簡単な説明】
【００３１】
【図１】従来のインクジェットプリンタによるインク噴射を示す図である。
【図２】本発明の一実施形態に係るインクジェットプリンタによるインク噴射を示す図である。
【図３】図２のマスクを示す平面図である。
【図４】図３のＡ部分を示す断面図である。
【図５】図３のスリット部分で電磁気力の方向を示す図である。
【符号の説明】
【００３２】
１００    インクジェットプリンタ
１１０    インクジェットヘッド
１２０    マスク
１２１    金属薄膜
１２２    電気配線
１２３    マグネット
１２４    絶縁層
１２５    スリット
１３０    電気伝導性インク
【図１】
2007223321.tif 000003
【図２】
2007223321.tif 000004
【図３】
2007223321.tif 000005
【図４】
2007223321.tif 000006
【図５】
2007223321.tif 000007